Podtech/llm-jp-corpus-v4-ja_patent huggingface dataset:
(57)【要約】      （修正有）【課題】装飾品として優美で十分に鑑賞に耐え得る飾りしゃもじを提供する。【解決手段】しゃもじ本体における掬い部の表面部に立体装飾体を貼着し、必要に応じて標語、俳句、警句等からなる文字あるいは着色を施した。【選択図】図１
0003113374.tif 000002
【実用新案登録請求の範囲】
【請求項１】
しゃもじ本体における掬い部の表面部に立体装飾体を貼着し、必要に応じて標語、俳句、警句等からなる文字あるいは着色を施したことを特徴とする飾りしゃもじ。
【請求項２】
しゃもじ本体における掬い部の表面に平面状接着テープの雄側または雌側の一方を貼着し、立体装飾体の裏面側に平面状接着テープの雌側または雄側の一方を貼着し、立体装飾体を着脱自在にしたことを特徴とする飾りしゃもじ。
【請求項３】
請求項１、２記載の飾りしゃもじにおいて、立体装飾体を押絵としたことを特徴とする飾りしゃもじ。
【考案の詳細な説明】
【技術分野】
【０００１】    本考案は、装飾品として使用するしゃもじに関し、しゃもじに立体感のある装飾体を施したしゃもじに関するものである。
【背景技術】
【０００２】  現在、しゃもじは家庭の炊飯道具として使用されているが、木製のしゃもじから合成樹脂製のしゃもじと材質の転換が図られ、このことから木製のしゃもじの需要が減少傾向にある。他方、観光地においてみやげ物用としてしゃもじの表面にその観光地に相応しい内容の絵柄、標語、俳句、警句等からなる文字を焼印、印刷等でデザインを施したものが販売されている。しかしながら、かかるしゃもじにあっては、前述するように、単に絵柄、文字を印刷した立体感のない平面的な構成に止まり、装飾品としての価値はきわめて低劣なものである。
【考案の開示】
【考案が解決しようとする課題】
【０００３】    本考案は前述の諸点に鑑みなされたもので、装飾品として優美で十分に鑑賞に耐え得る飾りしゃもじを提供することである。
【課題を解決するための手段】
【０００４】  前述の課題を解決するための本考案に係る飾りしゃもじの構成は、しゃもじ本体における掬い部の表面部に立体装飾体を貼着し、必要に応じて標語、俳句、警句等からなる文字あるいは着色を施した点に存するものである。【０００５】  また、本考案に係る飾りしゃもじの構成は、しゃもじ本体における掬い部の表面に平面状接着テープの雄側または雌側の一方を貼着し、立体装飾体の裏面側に平面状接着テープの雌側または雄側の一方を貼着し、立体装飾体を着脱自在に点に存するものである。【０００６】  さらにまた、本考案に係る飾りしゃもじの構成は、前記立体装飾体を押絵とした点に存するものである。
【考案の効果】
【０００７】  上述のように、本考案の飾りしゃもじは、しゃもじ本体の表面部に、種々の立体装飾体を貼着した構成を有することから、装飾品としてバリエーションのある、また、優美さを備えたデザインを可能とし、装飾品としての価値を高からしめ、特に、立体感があるのでみやげ用として喜ばれる。
【考案を実施するための最良の形態】
【０００８】  以下、図１に基づいて本考案に係る飾りしゃもじ実施例を説明する。
１はしゃもじ本体を示し、このしゃもじ本体１の掬い部の表面１’には図示を省略したが必要に応じて標語、俳句、警句等からなる文字あるいは着色を施したもので、このしゃもじ本体１に、装飾品としての押絵、アートフラワー、ぬいぐるみ等々からなる立体装飾体２の台座３の表面４に接着剤を塗布し、あるいは、両面テープを貼着し、この立体装飾体２をしゃもじ本体１の適宜箇所に貼着する。【０００９】  また、図２は他の実施例を示すもので、しゃもじ本体１における掬い部の表面１’に面状接着テープ５の雄側５ａまたは雌側５ｂの一方を貼着し、立体装飾体２の裏面側にも同様に面状接着テープ５の雌側５ｂまたは雄側５ａの一方を貼着し、立体装飾体を着脱自在に点に存するものである。このとき、しゃもじ本体１側に貼着する面状接着テープ５の幅、長さを立体装飾体２の面状接着テープ５よりも大きくすることによって、立体的装飾体２の貼り付け位置を任意に調整することが出来る。また、立体的装飾体２を複数個用意すれば、この立体的装飾体２を適宜取り替えることによって、雰囲気の異なった飾りしゃもじとすることも可能である。
【図面の簡単な説明】
【００１０】
【図１】本考案に係る飾りしゃもじの実施例を示す説明図
【図２】本考案に係る飾りしゃもじの他の実施例を示す説明図
【符号の説明】
【００１１】１：しゃもじ本体
１’：掬い部
２：立体装飾体
３：台座
５：面状接着テープ
【図１】
0003113374.tif 000003
【図２】
0003113374.tif 000004
(57)【要約】      （修正有）【課題】公共の視線を遮り、プライベートを守る事の出来る椅子を提供する。【解決手段】椅子本体１の背もたれにフェイスカバーを設ける。フェイスカバーは例えば、扇状の布４である。【選択図】図１
0003113377.tif 000002
【実用新案登録請求の範囲】
【請求項１】
椅子の背もたれにつけるフェイスカバー
【請求項２】
背もたれに請求項１記載のフェイスカバーをつけたことを特徴とする椅子
【考案の詳細な説明】
【技術分野】
【０００１】  この考案は、公共で使用する椅子に関する。
【背景技術】
【０００２】  従来の椅子の形状は、図２に示すように、背もたれの頭の部分に何もついていないオープンな状態である。
【考案の開示】
【考案が解決しようとする課題】
【０００３】しかしながら、以上の技術によれば、公共の視線を遮るものがなく、プライベートが保てなかった。そこで、この考案は、公共の視線を遮り、プライベートを守る事の出来る椅子を提供することを課題とする。
【課題を解決するための手段】
【０００４】  以上の課題を解決するために、第一考案は、背もたれにフェイスカバーを設けたことを特徴とする椅子である。
また、第二考案は、背もたれにフェイスカバーを設け、このフェイスカバーは扇状に開閉が出来ることを特徴とする椅子である。
【考案の効果】
【０００５】  第一考案、または第二考案によれば、背もたれにフェイスカバーを設けた事によって、公共の視線や日差しを遮りプライベートを守り健康にも寄与するものである。
【考案を実施するための最良の形態】
【０００６】  この考案の一実施形態を、図１に示す。
全般的な椅子であり、この本体１の背もたれには、金属製のフェイスカバーの本体２、３が設けられている。この本体３は扇構造で成り、内側からは見えるが外側からは見えない布４が張り付けられている。【０００７】「実施形態の効果」
この実施形態によれば、布４の働きで、外部の状況を把握しつつまたプライベートを保てるため安心して休息がとれる。本体２は取り外しが可能で本体３が扇状になっているので、コンパクトに畳む事が出来、持ち運びにも便利である。【０００８】「他の実施形態」
図１の実施形態では、布４は特殊な布であったが、他の実施形態では、ビニールシートなど他のシートでも代用出来る。また、本体２は金属性であったが、硬め又は芯の入った布や、他の布より少し硬めの素材にマジックテープをつけたもので、本体３をプラスチック製などにする事で軽量化する事も出来る。
【図面の簡単な説明】
【０００９】
【図１】この考案の一実施形態を示す斜視図である。
【図２】従来技術を示す斜視図である。
【符号の説明】
【００１０】１  椅子本体              ２  フェイスカバー取り付け部
３  フェイスカバー骨組み  ４  布部
【図１】
0003113377.tif 000003
【図２】
0003113377.tif 000004
(57)【要約】【目的】  リムレス眼鏡の組み立て作業を容易にし、ファッション性に優れた眼鏡を得ることができる。【構成】  星形に刻削した部品２で連結形成されたネジを、レンズ６の止着孔７に嵌入した場合、星形部品２の外周と止着孔７の開孔径とが同径のため、嵌合の際噛むように圧入されるので、ツカミを使用せずともガタつきは発生しない。【選択図】        図６
0003113371.tif 000002
【実用新案登録請求の範囲】
【請求項１】
最下部のネジ３の上部に外周が星形に刻削された柱状の部品２を連結し、最上部には眼鏡鎧部４を接着するためのロ−付け台１を形成してなる連結体の特殊ネジ。
【考案の詳細な説明】
【考案の詳細な説明】
【産業上の利用分野】
【０００１】  本考案は、リムレス眼鏡用レンズ６と鎧部４との取り付け作業を、容易に且つ正確にするための連結体のネジである。
【背景技術】
【０００２】  従来、レンズ６に鎧４を固定する方法は、図８で示すようにガタつきを解消するためツカミ８を使用している。
【考案が解決しようとする課題】
【０００３】  従来の技術で述べたように、レンズ６に鎧４を固定する際に発生するガタつきを解消するためツカミ８を使用していて、鎧４を固定するためにはレンズ６に止着孔７を施さねばならない。しかし、止着孔７の位置を正確にしなければその目的を達成できないという難点がある。即ち、止着孔７がレンズ６外側にずれるとツカミ８の役目を果たさないし、内側にずれると鎧４に形成されているネジがレンズ６に嵌合できないという技術上の難しさがある。
【課題を解決するための手段】
【０００４】  上記の目的を解決達成するはめには、従来の鎧に形成されているツカミ８を使用せず、止着孔７に本考案の星形に刻削された柱状の部品２を嵌入し、連結形成されてるネジ３をナット５で締めれば鎧４のガタつきは解消される。それ故、止着孔７の開孔技術の精度さは要求されず、取り付け作業は容易になる。技術は、星形部品２の外周と止着孔７の直径は同径で形成されているため、星形部品２が止着孔７を噛むように圧入されるのでガタつきは発生しない。
【作用】
【０００５】  特殊レンズ止ネジを使用することにより、鎧４に嵌合する止着孔７の業の精度は要求されないので、眼鏡の組み立て作業が容易になる。
【実施例】
【０００６】  実施例について図面を参照して説明する。
図１〜７において、特殊レンズ止ネジは、金属を用い、刻削加工により高さ８ｍｍ程度で直径は１．４ｍｍ〜３ｍｍ位の連結体で形成されている。さらに詳しくは、連結体の上部は鎧をロ−付けするための台１である。下部はネジ３であり、そして中部がレンズ止着孔７に嵌入するための星形の部品２であり、ツカミ８を使用せずレンズ６に鎧４を固定する部品です。【０００７】  特殊レンズ止ネジの加工方法は、星形部品２とネジ３は一体物で刻削成型加工し、台１をロ−付けして、連結体を作り出す。
【考案の効果】
【０００８】  本考案は、上記のとうり構成されているので、次に記載する効果を奏する。
【０００９】  請求項１の特殊レンズ止ネジにおいては、これを使用して眼鏡を制作すると、止着孔の開孔が容易になり、その結果、組み立て作業が楽になる。そして、ツカミがないため眼鏡のファッション性が向上する。
【図面の簡単な説明】
【図１】正面図である。
【図２】斜視図である。
【図３】側面図である。
【図４】上面図である。
【図５】図１Ａ−Ａ′の断面図である。
【図６】組み立て図である。
【図７】止着孔に星形部品（断面図）を圧入。
【図８】従来のツカミにかかわる要部図面である。
【図１】
0003113371.tif 000003
【図２】
0003113371.tif 000004
【図３】
0003113371.tif 000005
【図４】
0003113371.tif 000006
【図５】
0003113371.tif 000007
【図６】
0003113371.tif 000008
【図７】
0003113371.tif 000009
【図８】
0003113371.tif 000010
(57)【要約】    【課題】  会社や一般家庭においても増加する電化製品の中には使用を制限あるいは禁止して管理を行いたいものがある。例えば企業等における電化製品の無断使用や家庭でのテレビ及びテレビゲ−ムの長時間の使用などである。そこで電化製品の使用を管理する、電源プラグカバ−を提供する。    【解決手段】  合成樹脂等の絶縁性を有する素材で箱体を成形し、電源プラグの接触片を収納する収納部及び挿入孔を形成し、収納部には電源プラグの接触片の穿孔と連通する穴を設け、電源プラグの穿孔と当該穴を連通させた後、ロックピンを貫通して施錠するのである。    【選択図】  図３
0003113525.tif 000002
【実用新案登録請求の範囲】
【請求項１】
絶縁性を有する素材で成形された箱体であって、電源プラグの接触片の穿孔と連通させる穴を穿設した接触片収納部を有し、連通孔にロックピンを貫通させて施錠する電源プラグのロックカバ−。
【考案の詳細な説明】
【技術分野】
【０００１】
本考案は電源プラグカバ−に関するもの、より詳しくは電源プラグに鍵をかけてコンセントへの挿入を制限し、電化製品の使用を管理するためのものである。
【背景技術】
【０００２】
電源プラグの施錠器としては電源プラグの接触片の穿孔に係合するロックピンを内装した合成樹脂材製の箱体がある。（実開昭６４−１４８０号公報参照）
また、電源プラグの接触片の穿孔に直接つるを貫通させて施錠する、つる部分を絶縁皮膜で覆った南京錠がある。（実公平８−６９８６号公報参照）
【特許文献１】実開昭６４−１４８０号公報
【特許文献２】実公平８−６９８６号公報
【考案の開示】
【考案が解決しようとする課題】
【０００３】
会社や一般家庭においても各種の電化製品が増え、その中には個人専用の電化製品や使用を制限したい電化製品がある。例えば、テレビやテレビゲ−ムの長時間の使用や幼児のいたずらによる感電や火災、或は、会社、工場、作業現場等における無断の電化製品の使用に対して何らかの対策を講じる必要があった。
【０００４】
実開昭６４−１４８０号公報記載の考案は、電源プラグの接触片を箱体に挿入し、箱体内部に取り付けたロックピンを電源プラグの穴に係合してロックし、解錠は鍵により箱体内のカムを回動させて、ロックピンを押し広げる構造を有する。
【０００５】
しかし、箱体、ロックピン、カム及び専用鍵が必要となり、部材点数が多くなるうえ、箱体内にロックピンやカムを取り付ける作業を要し、製作コストがかかる。
【０００６】
又、実公平８−６９８６号公報記載の考案は絶縁皮膜で覆ったつるを有する南京錠を直接電源プラグの接触片の穴に貫通させるものである。しかし、施錠しても電源プラグの接触片が露出しているため、子供が無理やり電源プラグをコンセントに差し込もうとしたり、鍵を外そうとして引っ張る可能性があり、プラグの接触片が曲がったり、プラグの先端部分がコンセントに接触して通電するおそれがあり危険である。
【０００７】
そこで、本考案では電源プラグの接触片全体をカバ−で覆い、接触片を保護すると共に、物理的にコンセントへの挿入を不可能にして電化製品の使用を管理する電源プラグのロックカバ−を提供することを目的とする。
【課題を解決するための手段】
【０００８】
上記課題を解決するために、本考案では絶縁性素材からなる電源プラグカバ−に、接触片の穿孔と連通させる穴を穿設し、電源プラグの接触片を当該カバ−で覆った後、連通させた穴に、南京錠のつる等のロックピンを貫通させて施錠するのである。
【考案の効果】
【０００９】
１、電化製品の無断使用や長時間使用を禁止して、その使用を管理できる。
２、幼児等の電化製品へのいたずらを防止し、感電事故や火災を防ぐ。
３、電源プラグ自体をカバ−、保護できる。
【考案を実施するための最良の形態】
【００１０】
以下、本考案の最適な実施形態について図面を参照しながら説明する。
【実施例１】
【００１１】
図１が本考案にかかる電源プラグカバ−１（以下、単に「カバ−」と称す）の斜視図である。
【００１２】
カバ−１は絶縁性を有する素材、例えば合成樹脂等の素材で成型された箱体であって電源プラグ５（図２）の一対の接触片６−６を収納する脚部３−３と差し込み口２−２が設けられている。収納部３−３には南京錠８（図３）のつる９を挿入する穿孔４−４を設ける。
【００１３】
図２、３がカバ−１の使用状態を説明する説明図である。
【００１４】
電源プラグ５をコンセントから抜き、接触片６−６をカバ−１の出入孔２−２から差し込み、収納部３−３に収納するように挿入しながら、カバ−１を電源プラグ５に被せる。次に、プラグ接触片の穿孔７−７とカバ−１の穴４−４を貫通するように南京錠８のつる９を差し込み、施錠するのである。
【００１５】
図３ではシリンダ−タイプの南京錠を図示したが、穴を貫通させるロックピンを有する鍵であれば、どんなタイプのものでも良い。
【実施例２】
【００１６】
図４は本考案の他の実施の形態を示す斜視図である。
【００１７】
この電源プラグカバ−は収納部１０ａを二箇所、有する箱体１０であって、電源プラグの接触片を収納部１０ａへと挿入する二つの挿入孔１１がある。収納部１０ａにはプラグ接触片の穿孔と連通させる横穴１２が穿設されており、電源プラグの接触片をカバ−１０で覆った後、プラグ接触片の穿孔（図示せず）と連通させた横穴１２に南京錠等のつるを挿入して施錠するのである。
【産業上の利用可能性】
【００１８】
本考案は、電源プラグのロックカバ−に関するものであり、電化製品の使用を制限、或は禁止してその管理を行う際に使用され、また電化製品への幼児のいたずらを防止して、感電事故や火災を防止するための器具として利用可能である。
【図面の簡単な説明】
【００１９】
【図１】電源プラグのロックカバ−の斜視図。
【図２】同、使用状態を示す説明図。
【図３】同、使用状態を示す説明図。
【図４】電源プラグのロックカバ−の他の実施例の斜視図。
【符号の説明】
【００２０】
１、１０、電源プラグロックカバ−    ２、１１、電源プラグ接触片挿入孔
４、１２、施錠用ロックピン挿入孔
【図１】
0003113525.tif 000003
【図２】
0003113525.tif 000004
【図３】
0003113525.tif 000005
【図４】
0003113525.tif 000006
(57)【要約】【課題】  製造が容易で、製造コストが低く、軽量で施工に便利な難燃材の提供。【解決手段】  植物繊維の上面に防炎ポリ塩化ビニル皮膜を設け、底面に再生紙を設けてなり、そのうち、植物繊維は、植物繊維の重量比を２５％〜４５％とし、難燃液重量を７５％〜５５％として混合して難燃液を含有する植物繊維を形成し、該難燃液を含有する植物繊維の重量比を２０％〜４０％とし、難燃接着剤液の重量比を８０％〜６０％として混合し、熱圧加工してなり、これにより製造に便利とし、製造コストを減らし、有効に重量を減らせるようにした。【選択図】        図１
0003113530.tif 000002
【実用新案登録請求の範囲】
【請求項１】
難燃材において、
植物繊維と、
該植物繊維の上面に設けられた防炎ポリ塩化ビニル皮膜と、
該植物繊維の下面に設けられた再生紙と、
を包含したことを特徴とする、難燃材。
【考案の詳細な説明】
【技術分野】
【０００１】
本考案は建築材料の技術領域に係り、特に製造に便利で軽量化され施工に便利である難燃材に関する。
【背景技術】
【０００２】
現代生活の進歩により、現代人の環境に対する要求は日増しに強くなり、且つ環境の美化は間仕切りやインテリア等に関係があり、但し、一般に、間仕切りやインテリアに難燃材が設置されていなければ、一旦火災が発生すると、生命及び財産に対する一大脅威となり、且つ大幅にいわゆる避難の第１時間を短縮し、安全上の不足を形成する。
【０００３】
上述の一般の間仕切りやインテリアに使用されている合板、原木等が燃え易い欠点を改善するため、市場に難燃材が出現した。しかし一般に難燃材の製造は容易でなくその重量は重い。例えば、燃焼点の高い石膏の前面と背面に装飾用の紙材を貼り付けたものがあるが、石膏の重量は重く、施工に不利であり、施工作業員には大きな負担となり、且つ石膏の材料性質は温度が比較的高い環境、例えば燃焼後或いは天気が乾燥し暑い情況では、石膏が脆くなりやすく、湾曲、剥落、亀裂等の問題を発生しやすい。特に、現代の地球温暖化効果の下、気温は年ごとに上昇しており、このため石膏を難燃材となすのは現代の要求に符合せず、改善が求められている。
【考案の開示】
【考案が解決しようとする課題】
【０００４】
本考案は前述の周知の難燃材が、実際の使用上、使用効果が不足し、重量が重く、施工に不便である欠点を有していることを鑑み、難燃材の新たな設計を提供するものである。
【０００５】
本考案の主要な目的は、一種の難燃材を提供することにあり、それは防燃の機能を有し、且つ大幅に重量が低減され、並びに使用効果が良好で施工に便利であるものとする。
【０００６】
前述の目的を達成するため、本考案の難燃材は、植物繊維の上面に防炎ポリ塩化ビニル皮膜を設け、底面に再生紙を設けてなり、そのうち、植物繊維は、植物繊維の重量比を２５％〜４５％とし、難燃液重量を７５％〜５５％として混合して難燃液を含有する植物繊維を形成し、該難燃液を含有する植物繊維の重量比を２０％〜４０％とし、難燃接着剤液の重量比を８０％〜６０％として混合し、熱圧加工してなり、これにより製造に便利とし、製造コストを減らし、有効に重量を減らせるようにした。
【課題を解決するための手段】
【０００７】
請求項１の考案は、難燃材において、
植物繊維と、
該植物繊維の上面に設けられた防炎ポリ塩化ビニル皮膜と、
該植物繊維の下面に設けられた再生紙と、
を包含したことを特徴とする、難燃材としている。
【考案の効果】
【０００８】
本考案は植物繊維に難燃液を吸収させ、更に難燃液を吸収させた植物繊維を難燃接着剤液と混合し、全体のちょう度を増し、ゲル状物を形成し、それを型内に入れて熱圧成形して、快速、便利に製造できる難燃材であり、難燃効果を達成し、且つ製造した難燃材は軽量化され、施工に便利で、変形、剥落、亀裂の問題を発生しない。
【考案を実施するための最良の形態】
【０００９】
図１は本考案の難燃材の構造表示図である。それは、
植物繊維１であって、それは難燃液に含浸させられ、植物繊維の重量比２５％〜４５％とし、難燃液重量を７５％〜５５％として混合して難燃液を含有する植物繊維を形成し、こうして形成した難燃液を含有する植物繊維の重量比を２０％〜４０％とし、難燃接着剤液の重量比を８０％〜６０％として混合し、そのうち、難燃接着剤液はけい酸ナトリウム、ポリビニルアセテート（ＰＶＡ）或いはけい酸カリウムとされ、ちょう度を増すのに供され、こうしてゲル状物を形成し、並びに難燃剤を、ゲル状物の重量比が９９．７％〜７５％、難燃剤重量比が０．３％〜２５％となるように添加してなり、有効に難燃の効果を増す、上記植物繊維１と、
該ゲル状の植物繊維１の上面に設けられた防炎ポリ塩化ビニル皮膜２と、
混合されたゲル状物の底面に接合された再生紙３と、
を包含し、摂氏１２０度から１８０度の温度で加熱し、１６０ｋｇ／ｍ2 〜１８０ｋｇ／ｍ2 の圧力で加圧成形してなり、極めて難燃効果の高い難燃材とされる。
【図面の簡単な説明】
【００１０】
【図１】本考案の難燃材の構造表示図である。
【符号の説明】
【００１１】
１  植物繊維
２  防炎ポリ塩化ビニル皮膜
３  再生紙
【図１】
0003113530.tif 000003
(57)【要約】【課題】複数個の干し枠体を中央支柱体を中心に開いて展開状態として一般家庭の庭先に設置し、干し枠体に布団を二つ折り状に掛けることにより布団を干すことができ、又、不使用時には、複数個の干し枠体を中央支柱体を中心に閉じて折畳状態で格納することができ、この際、干し枠体の上部横杆部に水平杆部を突没スライド自在に設けてなるから、使用の利便性を高めることができる。【解決手段】上部横杆部１ａ、下部横杆部１ｂ及び各外端部間に位置する縦杆部１ｃからなる略コ状の干し枠体１と、干し枠体の上部横杆部及び下部横杆部の内端部間に配置され、干し枠体を開閉自在に枢支する中央支柱体２とからなり、上部横杆部に水平杆部３を突没スライド自在に設けてなる。【選択図】図１
0003113509.tif 000002
【実用新案登録請求の範囲】
【請求項１】
上部横杆部、下部横杆部及び各外端部間に位置する縦杆部からなる略コ状の干し枠体と、該干し枠体の上部横杆部及び下部横杆部の内端部間に配置され、該干し枠体を開閉自在に枢支する中央支柱体とからなり、上記上部横杆部に水平杆部を突没スライド自在に設けてなることを特徴とする布団干し具。
【請求項２】
上記上部横杆部の外方端部、上記縦杆部の上方端部及び上記水平杆部の基端部を挿通可能な略Ｔ状の接続部材を設けてなることを特徴とする請求項１記載の布団干し具。
【考案の詳細な説明】
【技術分野】
【０００１】
本考案は例えば一般家庭の庭先に設置して布団を干す際に用いられる布団干し具に関するものである。
【背景技術】
【０００２】
従来、この種の布団干し具として、上部横杆部、下部横杆部及び各外端部間に位置する縦杆部からなる略コ状の干し枠体と、干し枠体の上部横杆部及び下部横杆部の内端部間に配置され、該干し枠体を開閉自在に枢支する中央支柱体とからなる構造のものが知られている。
【特許文献１】特開昭５５−２４０８８号公報
【考案の開示】
【考案が解決しようとする課題】
【０００３】
しかしながら上記従来構造の場合、サイズの大きな布団を干し枠体に掛けることができないことがあるという不都合を有している。
【課題を解決するための手段】
【０００４】
本考案はこれらの不都合を解決することを目的とするもので、本考案のうちで、請求項１記載の考案は、上部横杆部、下部横杆部及び各外端部間に位置する縦杆部からなる略コ状の干し枠体と、該干し枠体の上部横杆部及び下部横杆部の内端部間に配置され、該干し枠体を開閉自在に枢支する中央支柱体とからなり、上記上部横杆部に水平杆部を突没スライド自在に設けてなることを特徴とする布団干し具にある。
【０００５】
又、請求項２記載の考案にあっては、上記上部横杆部の外方端部、上記縦杆部の上方端部及び上記水平杆部の基端部を挿通可能な略Ｔ状の接続部材を設けてなることを特徴とするものである。
【考案の効果】
【０００６】
本考案は上述の如く、請求項１記載の考案にあっては、複数個の干し枠体を中央支柱体を中心に開いて展開状態として一般家庭の庭先に設置し、干し枠体に布団を二つ折り状に掛けることにより布団を干すことができ、又、不使用時には、複数個の干し枠体を中央支柱体を中心に閉じて折畳状態で格納することができ、この際、干し枠体の上部横杆部に水平杆部を突没スライド自在に設けてなるから、サイズの大きな布団の場合には、水平杆部を突出スライドすることにより対応することができ、サイズの小さな布団の場合には、水平杆部を没入スライドすることにより対応することができ、布団のサイズに応じて水平杆部を突没スライドすることにより各種サイズの布団を干すことができると共に不使用時には水平杆部を没入スライドすることによりコンパクトに収納することができ、使用の利便性を高めることができる。
【０００７】
又、請求項２記載の考案にあっては、上記上部横杆部の外方端部、上記縦杆部の上方端部及び上記水平杆部の基端部を挿通可能な略Ｔ状の接続部材を設けてなるから、水平杆部の配置及びスライド構造を簡素化することができる。
【考案を実施するための最良の形態】
【０００８】
図１乃至図５は本考案の実施の形態例を示し、１は干し枠体であって、この場合、上部横杆部１ａ、下部横杆部１ｂ及び各外端部間に位置する縦杆部１ｃからなる略コ状に形成されている。
【０００９】
２は中央支柱体であって、この場合、５個の連結筒２ａ・・・を有する連結部材２ｂ・２ｂを上下に配置し、この上下の連結部材２ｂ・２ｂの両外側位置の連結筒２ａ・２ａの内端部に左右一対の縦杆２ｃ・２ｃを挿通固定してなり、連結部材２ｂ・２ｂの５個の連結筒２ａ・・・の外端部に５個の干し枠体１の上部横杆部１ａ及び下部横杆部１ｂの内端部を開閉自在に挿通して構成している。
【００１０】
３は水平杆部であって、この場合、上記上部横杆部１ａの外方端部、上記縦杆部１ｃの上方端部及び上記水平杆部３の基端部を挿通可能な略Ｔ状の接続部材４を形成し、接続部材４に上部横杆部１ａ及び縦杆部１ｃを挿通してボルト４ａにより固定し、接続部材４に水平杆部３を突没スライド自在に挿通し、水平杆部３を調節ボルト４ｂにより位置固定するように構成している。
【００１１】
この実施の形態例は上記構成であるから、図１から図２の如く、複数個の干し枠体１・・・を中央支柱体２を中心に開いて展開状態として一般家庭の庭先に設置し、干し枠体１・・に布団Ｗを二つ折り状に掛けることにより布団Ｗを干すことができ、又、不使用時には、図１の如く、複数個の干し枠体１・・・を中央支柱体２を中心に閉じて折畳状態で格納することができ、この際、干し枠体１の上部横杆部１ａに水平杆部３を突没スライド自在に設けてなるから、図５の如く、サイズの大きな布団の場合には、水平杆部３を突出スライドすることにより対応することができ、サイズの小さな布団の場合には、水平杆部３を没入スライドすることにより対応することができ、布団Ｗのサイズに応じて水平杆部３を突没スライドすることにより各種サイズの布団を干すことができると共に不使用時には水平杆部３を没入スライドすることによりコンパクトに収納することがで、使用の利便性を高めることができる。
【００１２】
又、この場合、上記上部横杆部１ａの外方端部、上記縦杆部１ｃの上方端部及び上記水平杆部３の基端部を挿通可能な略Ｔ状の接続部材４を設けてなるから、水平杆部３の配置及びスライド構造を簡素化することができる。
【００１３】
尚、本考案は上記実施の形態例に限られるものではなく、例えば、干し枠体１や中央支柱体２、水平杆部３の構造や配置数等は適宜設計して変更される。
【００１４】
以上、所期の目的を充分達成することができる。
【図面の簡単な説明】
【００１５】
【図１】本考案の実施の形態例の全体斜視図である。
【図２】本考案の実施の形態例の全体斜視図である。
【図３】本考案の実施の形態例の部分斜視図である。
【図４】本考案の実施の形態例の部分側断面図である。
【図５】本考案の実施の形態例の使用状態図である。
【符号の説明】
【００１６】
Ｗ    布団
１    干し枠体
１ａ    上部横杆部
１ｂ    下部横杆部
１ｃ    縦杆部
２    中央支柱体
３    水平杆部
４    接続部材
【図１】
0003113509.tif 000003
【図２】
0003113509.tif 000004
【図３】
0003113509.tif 000005
【図４】
0003113509.tif 000006
【図５】
0003113509.tif 000007
(57)【要約】      （修正有）【課題】一方のパイプ材の端部内にバネ線材からなる係止部材を挿入し、この係止部材の折曲凸部を対向一対の係止孔より弾圧突出し、他方のパイプ材の端部の内周面を一方のパイプ材の外周面に嵌合して折曲凸部を環状凹部に嵌合し、この折曲凸部と環状凹部との嵌合により容易に両パイプ材を嵌合接続することができるパイプ接続構造の提供。【解決手段】一方のパイプ材１の端部の外周面と他方のパイプ材２の端部の内周面とを相互に嵌合して接続するパイプ接続構造において、一方のパイプ材の端部に対向一対の係止孔３を形成し、かつ、一方のパイプ材の端部内に挿入配置可能な略Ｕ状のバネ線材からなる係止部材４を形成すると共に係止部材の両遊離端部に対向一対の係止孔より弾圧突出可能な折曲凸部５を形成し、他方のパイプ材の端部の内周面に折曲凸部に嵌合可能な環状凹部６を形成してなる。【選択図】図１
0003113510.tif 000002
【実用新案登録請求の範囲】
【請求項１】
一方のパイプ材の端部の外周面と他方のパイプ材の端部の内周面とを相互に嵌合して接続するパイプ接続構造において、上記一方のパイプ材の端部に対向一対の係止孔を形成し、かつ、該一方のパイプ材の端部内に挿入配置可能な略Ｕ状のバネ線材からなる係止部材を形成すると共に該係止部材の両遊離端部に該対向一対の係止孔より弾圧突出可能な折曲凸部を形成し、上記他方のパイプ材の端部の内周面に該折曲凸部に嵌合可能な環状凹部を形成してなることを特徴とするパイプ接続構造。
【請求項２】
上記一方のパイプ材の端部の外周面に上記他方のパイプ材の内周面が嵌合可能な小径嵌合部を形成してなることを特徴とする請求項１記載のパイプ接続構造。
【考案の詳細な説明】
【技術分野】
【０００１】
本考案は対向一対のパイプ材の端部を相互に嵌合接続する際に用いられるパイプ接続構造に関するものである。
【背景技術】
【０００２】
従来この種のパイプ接続構造として、一方のパイプ材の端部の外周面と他方のパイプ材の端部の内周面とを相互に嵌合し、両パイプ材をリベットやねじ等により固定する構造のものが知られている。
【特許文献１】特開昭５５−２４０８８号公報
【考案の開示】
【考案が解決しようとする課題】
【０００３】
しかしながら上記従来構造の場合、両パイプ材の固定及び取り外しが厄介であるというという不都合を有している。
【課題を解決するための手段】
【０００４】
本考案はこれらの不都合を解決することを目的とするもので、本考案のうちで、請求項１記載の考案は、一方のパイプ材の端部の外周面と他方のパイプ材の端部の内周面とを相互に嵌合して接続するパイプ接続構造において、上記一方のパイプ材の端部に対向一対の係止孔を形成し、かつ、該一方のパイプ材の端部内に挿入配置可能な略Ｕ状のバネ線材からなる係止部材を形成すると共に該係止部材の両遊離端部に該対向一対の係止孔より弾圧突出可能な折曲凸部を形成し、上記他方のパイプ材の端部の内周面に該折曲凸部に嵌合可能な環状凹部を形成してなることを特徴とするパイプ接続構造にある。
【０００５】
又、請求項２記載の考案にあっては、上記一方のパイプ材の端部の外周面に上記他方のパイプ材の内周面が嵌合可能な小径嵌合部を形成してなることを特徴とするものである。
【考案の効果】
【０００６】
本考案は上述の如く、請求項１記載の考案にあっては、一方のパイプ材の端部内にバネ線材からなる係止部材を挿入し、この係止部材の折曲凸部を対向一対の係止孔より弾圧突出し、他方のパイプ材の端部の内周面を一方のパイプ材の外周面に嵌合して折曲凸部を環状凹部に嵌合し、この折曲凸部と環状凹部との嵌合により容易に両パイプ材を嵌合接続することができると共に両パイプ材間の相互の方向性がないので一層容易に接続することができる。
【０００７】
又、請求項２記載の考案にあっては、上記一方のパイプ材の端部の外周面に上記他方のパイプ材の内周面が嵌合可能な小径嵌合部を形成しているから、両パイプ材の外周面を略面一状態にすることができ、良好な外観を得ることができる。
【考案を実施するための最良の形態】
【０００８】
図１乃至図４は本考案の実施の形態例を示し、１は一方のパイプ材、２は他方のパイプ材であって、この場合、一方のパイプ材１の端部に対向一対の係止孔３・３を形成し、かつ、一方のパイプ材１の端部内に挿入配置可能な略Ｕ状のバネ線材からなる係止部材４を形成すると共にこの係止部材の両遊離端部に対向一対の係止孔３・３より弾圧突出可能な折曲凸部５・５を形成している。
【０００９】
又、この場合、上記他方のパイプ材２の端部の内周面に折曲凸部５・５に嵌合可能な環状凹部６を形成している。
【００１０】
又、この場合、上記一方のパイプ材１の端部の外周面に上記他方のパイプ材２の内周面が嵌合可能な小径嵌合部７を形成している。
【００１１】
図４は上記実施の形態例を布団干し具Ｗに適用した使用例を示し、この場合、上部横杆部Ｅ1、下部横杆部Ｅ2及び各外端部間に位置する縦杆部Ｅ3からなる略コ状の干し枠体Ｅと、干し枠体Ｅの上部横杆部Ｅ1及び下部横杆部Ｆ2の内端部間に配置され、干し枠体Ｈを開閉自在に枢支する中央支柱体Ｆとからなる布団干し具Ｗにおいて、上部横杆部Ｅ1を一方のパイプ材１、縦杆部Ｅ3を他方のパイプ材２として適用している。
【００１２】
この実施の形態例は上記構成であるから、図３の如く、一方のパイプ材１の端部内にバネ線材からなる係止部材４を挿入し、この係止部材４の折曲凸部を５・５を対向一対の係止孔３・３より弾圧突出し、図１の如く、他方のパイプ材２の端部の内周面を一方のパイプ材１の外周面に嵌合して折曲凸部５・５を環状凹部６に嵌合し、この折曲凸部５・５と環状凹部６との嵌合により容易に両パイプ材１・２を嵌合接続することができると共に両パイプ材１・２間の相互の方向性がないので一層容易に接続することができる。
【００１３】
又、この場合、上記一方のパイプ材１の端部の外周面に上記他方のパイプ材２の内周面が嵌合可能な小径嵌合部７を形成しているから、両パイプ材１・２の外周面を略面一状態にすることができ、良好な外観を得ることができる。
【００１４】
尚、本考案は上記実施の形態例に限られるものではなく、例えば、パイプ材１・２、係止部材３の形態や大きさ等は適宜設計して変更される。
【００１５】
以上、所期の目的を充分達成することができる。
【図面の簡単な説明】
【００１６】
【図１】本考案の実施の形態例の部分断面図である。
【図２】本考案の実施の形態例の部分分離斜視図である。
【図３】本考案の実施の形態例の分離断面図である。
【図４】本考案の実施の形態例の使用状態図である。
【符号の説明】
【００１７】
Ｗ    布団干し具
１    パイプ材
２    パイプ材
３    係止孔
４    係止部材
５    折曲凸部
６    環状凸部
７    小径嵌合部
【図１】
0003113510.tif 000003
【図２】
0003113510.tif 000004
【図３】
0003113510.tif 000005
【図４】
0003113510.tif 000006
(57)【要約】      （修正有）【課題】マンホール蓋開閉装置本体が、マンホール蓋を小さい労力で開閉し、且つ、持ち上げたまま移動作業ができる車輪と作用棒を設け、作業の安全と効率を高める。【解決手段】マンホール蓋開閉装置本体を構成する本体両側２に車輪６を設け、移動作業が自在となるようにし、且つ、同じく本体を構成している本体中央部３の前方管３ａの両側に開けられた長穴５に、挿入される引っ掛け棒本体７の端部８がマンホール蓋裏面に引っ掛かることで、腹部荷重受けワシャが前方管３ａに荷重を伝達し、作用棒１を押し下げることでテコの作用が働き、蓋を小さな力で持ち上げられ労力の効率と移動時の安全に役立つ。【選択図】図１
0003113569.tif 000002
【実用新案登録請求の範囲】
【請求項１】
マンホール蓋開閉装置本体は、テコの力を使って持ち上げることのできる引っ掛け棒を、本体中央部に設けた長穴に装着すると共に、本体両側に車輪を設けマンホール蓋のスライドを容易に行えるところを特徴とするマンホール蓋開閉装置。
【考案の詳細な説明】
【技術分野】
【０００１】
本考案は、本体中央部にマンホール蓋引っ掛け棒、両側に車輪を設けたマンホール蓋の開閉に関するものである。
【背景技術】
【０００２】
マンホール蓋開閉作業を行う場合、作業員２名で従来の治具をマンホール鍵穴に直接挿入し、蓋本体を持ち上げなければならなかった。
【考案の開示】
【考案が解決しようとする課題】
【０００３】
常時作業員２名による作業は経済的負担も大きく、また、蓋開閉用治具を手に持って運ばなければならないため、移動時の労働的負担でもある。従って、テコの機能と車輪の機能を一体化することにより、マンホール蓋開閉作業を作業員１名で容易な労力で行うことが可能になり前述の欠点を解決しようとするものである。
【課題を解決するための手段】
【０００４】
本考案は、マンホール蓋開閉装置本体に、テコの力を使って蓋を持ち上げるための引っ掛け棒を、本体中央部に設けた長穴に装着しマンホール蓋の鍵穴に挿入し作用棒を押し上げる。且つ、車輪の機能により持ち上げられた蓋の前後へのスライドを可能にしている。また、長穴は本体設置位置の多少のずれに自在に対応できることを可能にしている。
【考案の効果】
【０００５】
上述の様に、本考案のマンホール蓋開閉装置は、テコの力を利用して蓋を持ち上げる機能は勿論、本体全体を軽量パイプで構成しているため、軽量かつ丈夫で両側に設置されている車輪の機能により、マンホール蓋を持ち上げた状態での移動が容易にでき、一連の作業を一人で行うことが可能であり、労力の低減として役立つ。
【考案を実施するための最良の形態】
【０００６】
マンホール蓋開閉装置本体両側の車輪の間にマンホール蓋が納まるように本体を設置し、作用棒を押し下げた時に引っ掛け棒がマンホール蓋鍵穴から抜けないように、引っ掛け棒を挿入したのち９０°回転させ、引っ掛け棒先端部分が裏蓋面にしっかりと引っ掛かった状態で支承する。また、マンホール蓋を持ち上げたまま本体を押すか引っ張ることにより、車輪の機能が働き、マンホール蓋のスライドが可能となる。また、装置本体の作用棒の根元部分の着脱ピンを抜くことにより、作用棒を取り外すことができ、コンパクトな収納が自在となる。
【実施例１】
【０００７】
以下、添付図面に従って一実例を説明する。１は軽量かつ耐久性のあるアルミ管を適宜素材にて形成された作用棒、４は作用棒を収納するために設けた着脱部位で、この着脱部位４はピン４ａを差し抜きすることで作用棒１の着脱が自在となる。３は１と同様素材で前後２本のパイプで形成している本体中央部で、本体中央部３の前方管３ａの両サイドに開けられた長穴５にマンホール蓋を開けるための、引っ掛け棒本体７を挿入する。
【０００８】
前述の引っ掛け棒本体７の頭部９のＴ字ハンドルは端部８がマンホール蓋裏面に引っ掛った状態にするために９０°回転させ、作用棒１を押し下げ腹部に設けた荷重受けワッシャ１０で本体中央部３の前方管３ａにマンホール蓋の荷重を伝えることで蓋が持ち上がり、１及び３と同様素材で形成された２は本体両側を構成し、この本体両側２の後方口縁部に枢着した車輪６により本体の移動が自在となる。また、頭部９を回転させ解錠すると、端部８が蓋からはずれ引っ掛け棒本体７がマンホール蓋からはずれる。
【図面の簡単な説明】
【０００９】
【図１】本考案のマンホール蓋開閉装置の実例を示す正面図である。
【図２】本考案のマンホール蓋開閉装置の実例を示す断面図である。
【図３】本装置一部（引っ掛け棒）の断面図である。
【符号の説明】
【００１０】
１  作用棒
２  本体両側
３  本体中央部
３ａ前方管
４  着脱部位
４ａピン
５  長穴
６  車輪
７  引っ掛け棒本体
８  端部
９  頭部Ｔ字
１０  腹部荷重受けワシャ
【図１】
0003113569.tif 000003
【図２】
0003113569.tif 000004
【図３】
0003113569.tif 000005
(57)【要約】【課題】  本や新聞などの束をひもで縛る際に、ひもがゆるむことなく締めたひもを保持するための装置【解決手段】  グリップ部と結束部を阿端に持つハンドルを、両側から歯車を挟み込んだ回転可能な状態で固定する。ハンドルにバネとラチェットを固定しハンドルの結束部先端に大小二本の鋭角の切れ込み溝を設け、歯車を覆うよう歯車カバーを装備する。【選択図】      図１
0003113567.tif 000002
【実用新案登録請求の範囲】
【請求項１】
歯車軸（５）で固定した歯車（４）を、グリップ部（２）と結束部（３）を保有する可動なハンドル（１ａ）とハンドル（１ｂ）双方で挟み込んだ構成の簡易結束機
【請求項２】
ラチェット（６）が片方のハンドル（１ａ）に装備されることを特徴とする実用新案登録請求の範囲の請求項１の簡易結束機
【考案の詳細な説明】
【考案の詳細な説明】
【技術分野】
【０００１】  本考案は、本や新聞の束をひもで緊結する際に、ひもを巻きつけ締め付けることで、縛り易くするために使用するものである。
【背景技術】
【０００２】  従来は、直に素手でひもを引っ張りひもを捻るなりして結び縛っていた。また、専用の結束バンドを使用して結束する引き締め機があった。
【考案が解決しようとする課題】
【０００３】  従来の技術は次のような欠点があった。
（１）従来のとおり、本の束などを縛る際、直に素手でひもを引っ張りひもを結ぶ方法は、一度締め付けても結ぶ際にひもが緩んでしまうことがたびたびあった。そんな束を持ち歩く時には、束が崩れてしまうことも多かった。
（２）細いひもで強く縛る場合、手にひもが食い込み傷を負うこともあった。
（３）専用の引き締め機には、結束バンドを留めるのに金具が必要であった。
【課題を解決するための手段】
【０００４】  グリップ部（２）と結束部（３）を両端に持つハンドル（１ａ）とハンドル（１ｂ）を両側から歯車（４）を挟み込み歯車軸（５）で回転可能な状態で固定する。歯車（４）の溝にラチェット（６）の先端の爪が掛かるようにラチェット軸（７）で固定する。ラチェット軸（７）を支点として先端の爪と反対側部とハンドル（１ａ）に設けたバネ止め（９）との間にバネ（８）を装備する。ハンドル（１ａ）とハンドル（１ｂ）の片方の結束部（３）先端に大小二本の鋭角の切れ込み溝を設ける。図１から図３での説明では歯車（４）には歯車カバー（１０）は装備されていないが、図４から図９まではハンドル（１ａ）とハンドル（１ｂ）の双方と歯車（４）との間に歯車カバー（１０）を装備した説明となっている。
【０００５】  歯車カバー（１０）はラチェット（６）の先端の爪が歯車（４）に噛む部分は歯車カバー開口部（１１）として開放されている。
【実施例】
【０００６】  まず図９で説明する。本（１５）の束にひも（１３）を一周まわす。さらにひも（１３）の両端に簡易結束機本体（１２）の結束部（３）を開いた程度の間隔でひもの結び（１４）を作る。
ハンドル（１ａ）とハンドル（１ｂ）双方のグリップ部（２）を両手で持ちひもの結び（１４）を挟み込むように束をひも（１３）で締めていく。ハンドル（１ａ）とハンドル（１ｂ）の片方結束部（３）先端の大小二本の鋭角切れ込み溝は、ひもの結び（１４）をつくり簡易結束機本体（１２）の結束部（３）を引っ掛けることで、ひもを結束後簡単に取りはずしができ、ひも（１３）の太さにより太いひもと細いひも二通り利用できるようになっている。
ラチェット（６）の先端の爪が歯車（４）に噛み合い束のひも（１３）はしっかり締まっていき、そのまま保持されているので、両手でひも（１３）の先端を結ぶ。最後にラチェット（６）のバネ部を抑えつけるように押すとラチェット（６）先端の爪が歯車（４）の溝から解除され簡易結束機本体（１２）はひも（１３）から外れ、一連の作業が終了となる。【０００７】  歯車カバー（１０）は結束の作業時に指などを挟まない様に装備されている。
【考案の効果】
【０００８】（１）この簡易結束機が本の束をひもで締め付けて固定していてくれるので両手で落ち着いて確実に縛ることができる。
（２）結ぶ際に一度しめたひもが緩んでしまうことがなくなった。
（３）ひもは簡易結束機で確実に縛るので束がきつく締り荷崩れなどなくなった。
（４）この簡易結束機は軽量なため、持ち運びでき一般家庭での利便性がある。
【図面の簡単な説明】
【図１】  本考案の正面図
【図２】  本考案の裏面図
【図３】  本考案の底面図
【図４】  本考案の歯車カバー取付時の正面図
【図５】  本考案の歯車カバー取付時の上面図
【図６】  本考案の歯車カバー取付時の底面図
【図７】  本考案の歯車カバー取付時の裏面図
【図８】  本考案の斜視図
【図９】  本考案の利用図
【符号の説明】
１ａ  ハンドル
１ｂ  ハンドル
２    グリップ部
３    結束部
４    歯車
５    歯車軸
６    ラチェット
７    ラチェット軸
８    バネ
９    バネ止め
１０  歯車カバー
１１  歯車カバー開口部
１２  簡易結束機本体
１３  ひも
１４  ひもの結び
１５  本
【図１】
0003113567.tif 000003
【図２】
0003113567.tif 000004
【図３】
0003113567.tif 000005
【図４】
0003113567.tif 000006
【図５】
0003113567.tif 000007
【図６】
0003113567.tif 000008
【図７】
0003113567.tif 000009
【図８】
0003113567.tif 000010
【図９】
0003113567.tif 000011
(57)【要約】      （修正有）【課題】ルールが複雑すぎるでもなく、簡単すぎるでもなく、誰でも、２〜４人の中何人でも、コミュニケーションを図りながら楽しくゲームできる卓上ゲームを提供する。【解決手段】三角錐の駒を正三角形の盤上で、さいころの目に従い上記盤上のマス目に沿って転がして相手の持ち駒を取るゲームであり、上記ゲーム駒は表面に０〜３の数がふってあり、赤・青・黄・緑の４種があり、一色につき４個が一人分の持ち駒となり、上記ゲーム盤は一辺４マス＝計１６マスに区切られ駒と同じく赤・青・黄・緑に色分けされた正三角形を６枚１セットとして好きな枚数を自由な形に組み合わせて使用する人数×４個の駒・６枚のゲーム盤とからなる。【選択図】図１
0003113561.tif 000002
【実用新案登録請求の範囲】
【請求項１】
２人から４人まででゲームを行い、三角錐のゲーム駒を所定のルールに従って正三角形のゲーム盤に並べた後、さいころの目に従ってこのゲーム駒を転がして、転がされたゲーム駒の表面にふられた数の大きさで相手の持ち駒を取りあい勝敗を争うゲームであって、上記ゲーム駒の表面は、０〜３までの数を表す模様を有し、赤・青・黄・緑の４種類を一色につき４個を１人分の持ち駒となるゲーム駒と、該ゲーム駒を並べて置くための、一辺４マス＝計１６マスに区切られて駒と同じく赤・青・黄・緑に色分けされた正三角形のゲーム盤からなることを特徴とする、卓上ゲーム具。
【請求項２】
一辺４マス＝計１６マスに区切られ駒と同じく赤・青・黄・緑に色分けされた正三角形の形状であり、６枚を１セットとして好きな枚数を自由な形に組み合わせて使用することができる請求項１記載の卓上ゲーム具。
【請求項３】
表面に０〜３の数がふってあり、赤・青・黄・緑の４種があり、一色につき４個が一人分の持ち駒となる請求項１記載の卓上ゲーム具。
【考案の詳細な説明】
【技術分野】
【０００１】  この考案は、２〜４人の複数の人が簡単に遊べる卓上ゲームに関する。
【背景技術】
【０００２】  卓上ゲームとして従来から碁・将棋・チェス・オセロ等が広く行われており、ゲーム盤と、その他の構成要素から成る適当な構造体を介して、適当なルールに従ってゲームが行われる卓上ゲームは公知である
【考案の開示】
【考案が解決しようとする課題】
【０００３】  従来の卓上ゲームの中、碁・将棋・チェス・オセロは２人で勝負を争うもので、知識と練達度によって力量が決まり、ほぼ力量の優れた者が勝つのに決まっていて、誰もが平等の条件でゲームを楽しむといったことにならない点に問題があった。【０００４】  本考案の目的は、ルールが複雑すぎるでもなく、簡単すぎるでもなく、誰でも、２〜４人の中何人でも、コミュニケーションを図りながら楽しくゲームできる卓上ゲームを提供することにある。
【課題を解決するための手段】
【０００５】  以上の課題を解決するために、二人から四人までで行える、三角錐の駒を正三角形の盤上で、さいころの目に従い上記盤上のマス目に沿って転がして相手の持ち駒を取るゲームであり、上記ゲーム駒は表面に０〜３の数がふってあり、赤・青・黄・緑の４種があり、一色につき４個が一人分の持ち駒となり、上記ゲーム盤は一辺４マス＝計１６マスに区切られ駒と同じく赤・青・黄・緑に色分けされた正三角形を６枚１セットとして好きな枚数を自由な形に組み合わせて使用する人数×４個の駒・６枚のゲーム盤とからなることを特徴とする卓上ゲーム。２人〜４人でゲームを行い、三角錐の駒を一辺４マス＝計１６マスに区切られた三角形の盤上で、サイコロの目に従い表面に０〜３の数がふってある駒を盤上のマス目に沿って転がして相手の駒を取るゲームであり、上記ゲーム駒は、あり、赤・青・黄・緑の４種があり、一色につき４個が一人分の持ち駒となることを特徴とする卓上ゲームである。【０００６】  また、第二考案は、前記盤は一辺４マス＝計１６マスに区切られた正三角形の板を組み合わせて使うものであることを特徴とする請求項第２記載の卓上ゲームである。【０００７】  また、第三考案は、前記駒の正三角錐の表面に０〜３の数をふってあることを特徴とする請求項３記載の卓上ゲームである。【０００８】  また、０〜３の数をふられた正三角錐の駒を転がすという行為は、正四面体であるさいころのように次に出てくる目の数を予測するのには少々困難な形状をしており、更に運や偶然性といった要素が強くなった卓上ゲームである。【０００９】  また、駒が一辺５ｃｍという大きさと持ち易い重みを持っており、且つそれが子供の口にも容易に飲み込めない大きさとなり、小さな子供を持つ大人にも使い易い構造なっている卓上ゲームである。【００１０】  また、盤の模様が正三角形の集まりに１６等分割され、且つ原色の赤・青・黄・緑といった玩具に多く見られる色彩で構成されていることにより見た目も単純でありながら華やかな色彩になっている卓上ゲームである。
【考案の効果】
【００１１】  上述したように本考案に係わる卓上ゲームはルールが簡単であるから誰でも容易に理解できるので、初心者・老若男女、すぐにゲームに参加できる。【００１２】  また、ゲームを行うには、ある程度の判断能力を必要とするが、運も大きくゲームを左右するので、熟練者と初心者の差は殆どなく、誰でも平等の立場でゲームを楽しむことができる。【００１３】  また、１回のゲームが１０〜３０分で終わり、ゲーム回数も自由に決められるので、いつでも、どこでも、気軽にゲームすることができる。【００１４】  また、ゲーム中にコミニュケーションを図りながら行うので、家族同志や友達同志等で親睦が図れる。
【図面の簡単な説明】
【００１５】
【図１】この考案の一実施形態を示す斜視図である。
【図２】この考案の一実施例に係るゲーム盤を示す斜視図である。
【図３】この考案の一実施例に係るゲーム用駒を示す斜視図である。
【図４】この考案の一実施例に係るゲーム盤の三面図である。
【図４】この考案の一実施例に係るゲーム駒の三面図である。
【図１】
0003113561.tif 000003
【図２】
0003113561.tif 000004
【図３】
0003113561.tif 000005
【図４】
0003113561.tif 000006
【図５】
0003113561.tif 000007
【手続補正書】
【提出日】平成17年6月14日(2005.6.14)
【手続補正１】
【補正対象書類名】明細書
【補正対象項目名】００１５
【補正方法】変更
【補正の内容】
【００１５】
【図１】この考案の一実施形態を示す斜視図である。
【図２】この考案の一実施例に係るゲーム盤を示す斜視図である。
【図３】この考案の一実施例に係るゲーム用駒を示す斜視図である。
【図４】この考案の一実施例に係るゲーム盤の三面図である。
【図５】この考案の一実施例に係るゲーム駒の三面図である。